(57)【特許請求の範囲】
【請求項１】
細長い主板の長手両端部にそれぞれ反対方向に向く突片を形成した面戸固定具を用い、棟の両側において面戸固定具の先端部の突片を下向きにして棧瓦端に掛け、基端部の突片を上向きに配置して、該基端部の突片の上に粘面戸を立てると共に粘面戸下面を棧瓦上面に押しつけ固定し、しかる後、両粘面戸の間に詰装材を配してその上に熨斗瓦を葺くことを特徴とする粘面戸立設方法。
【請求項２】
細長い主板の先端部に棧瓦の端部に係掛する突片を下向きに形成し、主板の基端部に粘面戸を刺し立てる突片を上向きに形成したことを特徴とする面戸固定具。
【請求項３】
細長い主板の平面における長手両端部をそれぞれ平行な斜に形成して、該先端部に棧瓦の端部に係掛する突片を下向きに形成し、主板の基端部に粘面戸を刺し立てる突片を上向きに形成したことを特徴とする面戸固定具。
【請求項４】
無機質物、賦形材、硬化剤を主材として混練した可塑物を押出し成型して板状とし、該板状体の長手方向に貫通孔を形成し、板状体の広面を垂直とした状体で長手方向両端下部を斜に切欠いて切欠部を形成したことを特徴とする粘面戸。
【発明の詳細な説明】
【０００１】
【発明の属する技術分野】
この発明は粘面戸立設方法並びに面戸固定具に係り、特に作業性にすぐれ確実に固定することのできる粘面戸立設方法と面戸固定具に関する。
【０００２】
【従来の技術】
従来瓦葺屋根の棟に葺設される熨斗瓦と棧瓦の間には漆喰が塗設されているがプラスチックの面戸を使用することも多くなった。
【０００３】
【発明が解決しようとする課題】
上記のようなプラスチックの面戸を使用する場合、棧瓦の大きさが一定ならよいが棧瓦の大きさは一定でないのでどれにも適合できないという難点がある。特に寄棟造りの下り棟（図６のＢ）の場合には棧瓦の斜方向に下り棟が形成されるため、面戸形は複雑になってプラスチックの面戸では対応することが不可能である。そこで本願発明者はプラスチックの面戸と漆喰の中間に当たる粘面戸を開発しこれを完全に固定するための方法を鋭意研究していた結果、この発明を完成した。
【０００４】
【課題を解決するための手段】
この発明は前記課題を解決するために、次のような技術的な手段を講じた。
【０００５】
Ａ．主板の長手両端部にそれぞれ反対方向に向く突片を形成した面戸固定具を用い、棟に両側において面戸固定具の先端部の突片を下向きにして棧瓦端に掛け、基端部の突片を上向きに配置して、該基端部の突片の上に粘面戸を立てると共に粘面戸下面を棧瓦上面に押しつけ固定し、しかる後、両粘面戸の間に詰材を配してその上に熨斗瓦を葺く粘面戸立設方法。ここでいう粘面戸と無機質物と固形材とを練りあわせて板状として両端部において下部を斜に切り欠いた可塑性の面戸で、経時的に漆喰のように硬化する。
【０００６】
細長い主板の先端部に棧瓦の端部に係掛する突片を下向きに形成し、主板の基端部に粘面戸を刺し立てる突片を上向きに形成した面戸固定具。
【０００７】
細長い主板の平面における長手両端部をそれぞれ長手に対して斜にかつ双方は平行に形成して、該先端部に棧瓦の端部に係掛する突片を下向きに形成し、主板の基端部に粘面戸を刺し立てる突片を上向きに形成した面戸固定具。
【０００８】
無機質物、賦形材、硬化剤を主材として混練した可塑物を押出し成型して板状とし、該板状体の長手方向に貫通孔を形成し、板状体の広面を垂直とした状体で長手方向両端下部を斜に切欠いて切欠部を形成した粘面戸。
【０００６】
【作用】
上記のように構成されたこの発明は次のような作用を有する。すなわち面戸固定具の先端部の突片を下向きにして端棧瓦の端部に掛けると基端部の突片は上を向くので可塑性のある粘面戸を刺して立てることができる。この場合、下り棟では面戸を立てる位置が棧瓦の斜方向になるため、主板の長手に対して斜になっている突片のものを使用する。粘面戸は可塑性があるので棧瓦の曲線に合わせて押しつけることができ、中に貫通孔があると手の力でつぶしやすい。また粘面戸は経時的に硬化して雨水に耐える。
【０００７】
【発明の実施の形態】
この発明の実施の形態例を説明する。図１は粘面戸の斜視図である。該粘面戸１は石灰などの無機質物や賦形材繊維質、糊剤、固化材、乾燥防止材、凍結防止材等を混練して押出し成型機で板状に成型したもので、例えば厚さは約２０ミリ、高さは６２ないし７０ミリ、長さは２７０ないし４１０ミリに設定される。短尺は棟用で長尺は下り棟用である。しかして粘面戸１の長手両端下部は斜に切り欠いて切欠部１Ａ…が形成されている。この切欠部１Ａ…は棧瓦の幅中央部が凹んでいるので立設時に棧瓦上面の曲線に倣い易くしたものである。また図中の符号１Ｂは貫通孔で、上下に複数形成されている。これは軽量化のためと、貫通孔があると手の力でつぶし易く、棧瓦上面の曲線に倣い易くしたものである。この粘面戸１は可塑性があるので粘土のようにして面戸部分がどのような形状でも適合させることができ、経時的（３〜７日）に硬化し漆喰壁のように固くなる。
【０００８】
図２は面戸固定具の斜視図である。面戸固定具２は図３に示すように押出し成型機で押出し成型されたプラスチック製で、幅約６７ミリの主部２Ａの両端部に突片３、４がそれぞれ反対方向を向くように形成されている。該各突片３、４には滑止の突条３Ａ…，４Ａ…が形成されている。しかして図３において右側のように幅方向に切断すると棟Ａ用の面戸固定具２ができ、左側のように４１°前後の斜に切断すると下り棟Ｂ用の面戸固定具５が形成される。
【０００９】
図４は棟瓦の葺設状態を示す。寄棟の場合は図６に示すように棟Ａは軒Ｃと平行に面戸を設定するが、下り棟Ｂは棧瓦６を斜に切断した上に設定するので軒Ｃに対して下り棟Ｂは斜に設定される。従って図４は図６における棟Ａのａ矢視であり下り棟Ｂのｂ矢視である。図において両側の棧瓦６，６上端縁部においてそれぞれ面戸固定具２（５）…を置き、先端の突片３Ａ…を下向きにして棧瓦６上端面に掛ける。基端部の突片４Ａ…は上向きになっているので、突片４Ａ…の上に粘面戸１を乗せて下へ押しつけ、刺し立て、粘面戸１の下面を棧瓦６…の上面に密接させて立設する。この場合、下り棟Ｂにおいては図５に示すように、棧瓦６が斜に切断されているので切り口６Ａに先端の突片３Ａ…を当てることになり、突片３Ａ…，４Ａ…が平面で主部５Ａに対して斜になっているので、主部５Ａは棧瓦６の下り方向にほぼ平行になって粘面戸１を固定させることができる。これによって面戸固定具２（５）…は粘面戸１の設定位置を測定することなく定めることができ、かつその後の作業をしやすいように粘面戸１を固定することができる。しかして図４において両粘面戸１，１の間に詰装材７を詰装し上に熨斗瓦８…、丸瓦９を重ねて完成させる。その後３日ないし７日で粘面戸１は硬化して雨などにも耐える。粘面戸１の色を白色のほか、任意に着色しておくと外見的にも美しいものとなる。面戸固定具２（５）は粘面戸１の長さが短いものにおいては１本でよいが、長い粘面戸１では２本を使用する。
【００１０】
【発明の効果】
以上のように構成されたこの発明は次のようなすぐれた効果を有している。
【００１１】
Ａ．面戸固定具は先端部の突片を棧瓦の端部に掛けるので、粘面戸を設定すべき位置を物差し等で測定することなく、基端部の突片に粘面戸を立てることで容易に定位置に立設することができる効果がある。
【００１２】
Ｂ．面戸固定具は先端部の突片を棧瓦の端部に掛けるので、粘面戸が外方向へ移動しないように固定する効果がある。
【００１３】
Ｃ．面戸固定具を棧瓦に掛けて粘面戸を立てるだけで、粘面戸は約２センチの厚さがあり詰装材の粘土ともなじみがよいので作業性に優れている効果がある。硬化すれば漆喰と同じようになるので漆喰塗をしなくてもよい効果がある。
【００１４】
Ｄ．粘面戸はそのまま放置しておけば硬化し、硬化すれば漆喰と同じようになるので漆喰塗をしなくてもよい効果がある。
【図面の簡単な説明】
【図１】粘面戸の斜視図である。
【図２】面戸固定具の斜視図である。
【図３】面戸固定具の平面図である。
【図４】粘面戸立設方法を示す棟の概略正面図である。
【図５】下り棟に粘面戸を立設する方法を示す下り棟の概略平面図である。
【図６】棟を表す屋根の平面図である。
【符号の説明】
１            粘面戸
１Ａ          切欠部
１Ｂ          貫通孔
２            面戸固定具（棟用）
２Ａ          主部
３，４        突片
３Ａ，４Ａ    滑り止
５            面戸固定具（下り棟用）
５Ａ          主部
６            棧瓦
７            詰装材
８            熨斗瓦
９            丸瓦
Ａ            棟
Ｂ            下り棟
Ｃ            軒
【図１】
0003600942.tif 000002
【図２】
0003600942.tif 000003
【図３】
0003600942.tif 000004
【図４】
0003600942.tif 000005
【図５】
0003600942.tif 000006
【図６】
0003600942.tif 000007